(57)【要約】【課題】カラオケ装置に表示される採点結果と同等の画像を容易に取得可能なカラオケシステムを提供する。【解決手段】カラオケ装置は、採点値を含む採点結果を取得する採点部、歌唱採点データをサーバ装置に送信するデータ送信部、採点結果を表示部に表示させる表示制御部、を有し、サーバ装置は、あるカラオケ歌唱を行った利用者の携帯端末から、撮影データを受信した場合、データ記憶部に記憶された複数の歌唱採点データの中から一の歌唱採点データを特定する特定部、特定した歌唱採点データに基づいて、あるカラオケ歌唱の採点結果を示す採点画像データを作成する画像作成部、撮影データを送信した携帯端末に対し、作成した採点画像データを送信するデータ送信部を有する。【選択図】図１０
2019148768.tif 000002
【特許請求の範囲】
【請求項１】
カラオケ装置及びサーバ装置を含むカラオケシステムであって、
前記カラオケ装置は、
利用者のカラオケ歌唱に基づいて、採点値を含む採点結果を取得する採点部と、
前記採点結果に対し、少なくとも前記カラオケ歌唱を行った時間を示す歌唱時間情報、及び前記カラオケ歌唱において使用したカラオケ装置の識別情報を関連付けた歌唱採点データを前記サーバ装置に送信するデータ送信部と、
前記採点結果を表示部に表示させる表示制御部と、
を有し、
前記サーバ装置は、
複数の前記歌唱採点データ、及び前記カラオケ装置の所在地を示す住所データを記憶するデータ記憶部と、
あるカラオケ歌唱を行った利用者の携帯端末から、前記カラオケ装置の表示部に表示された採点結果を撮影した画像を解析して取得された採点値と、当該画像を撮影した場所を示す位置情報と、撮影した時間を示す撮影時間情報とを含む撮影データを受信した場合、当該撮影データ及び前記住所データに基づいて、前記データ記憶部に記憶された複数の歌唱採点データの中から一の歌唱採点データを特定する特定部と、
特定した歌唱採点データに基づいて、前記あるカラオケ歌唱の採点結果を示す採点画像データを作成する画像作成部と、
前記撮影データを送信した携帯端末に対し、作成した採点画像データを送信するデータ送信部と、
を有するカラオケシステム。
【請求項２】
カラオケ装置及びサーバ装置を含むカラオケシステムであって、
前記カラオケ装置は、
利用者のカラオケ歌唱に基づいて、採点値を含む採点結果を取得する採点部と、
前記採点結果に対し、少なくとも前記カラオケ歌唱を行った時間を示す歌唱時間情報、及び前記カラオケ歌唱において使用したカラオケ装置の識別情報を関連付けた歌唱採点データを前記サーバ装置に送信するデータ送信部と、
前記採点結果を表示部に表示させる表示制御部と、
を有し、
前記サーバ装置は、
複数の前記歌唱採点データ、及び前記カラオケ装置の所在地を示す住所データを記憶するデータ記憶部と、
あるカラオケ歌唱を行った利用者の携帯端末から、前記カラオケ装置の表示部に表示された採点結果を撮影した画像を示す画像情報と、当該画像を撮影した場所を示す位置情報と、撮影した時間を示す撮影時間情報とを含む撮影データを受信した場合、当該画像情報に基づく画像を解析し、採点値を取得する画像解析部と、
取得した前記採点値、前記位置情報、前記撮影時間情報、及び前記住所データに基づいて、前記データ記憶部に記憶された複数の歌唱採点データの中から一の歌唱採点データを特定する特定部と、
特定した歌唱採点データに基づいて、前記あるカラオケ歌唱の採点結果を示す採点画像データを作成する画像作成部と、
前記撮影データを送信した携帯端末に対し、作成した採点画像データを送信するデータ送信部と、
を有するカラオケシステム。
【請求項３】
少なくとも、利用者のカラオケ歌唱に基づいて取得された採点値を含む採点結果と、当該カラオケ歌唱を行った時間を示す歌唱時間情報と、当該カラオケ歌唱において使用したカラオケ装置の識別情報とを関連付けた歌唱採点データ、及びカラオケ装置の所在地を示す住所データを記憶するデータ記憶部と、
あるカラオケ歌唱を行った利用者の携帯端末から、前記カラオケ装置の表示部に表示された採点結果を撮影した画像を解析して取得された採点値と、当該画像を撮影した場所を示す位置情報と、撮影した時間を示す撮影時間情報とを含む撮影データを受信した場合、当該撮影データ及び前記住所データに基づいて、前記データ記憶部に記憶された複数の歌唱採点データの中から一の歌唱採点データを特定する特定部と、
特定した歌唱採点データに基づいて、前記あるカラオケ歌唱の採点結果を示す採点画像データを作成する画像作成部と、
前記撮影データを送信した携帯端末に対し、作成した採点画像データを送信するデータ送信部と、
を有するサーバ装置。
【請求項４】
少なくとも、利用者のカラオケ歌唱に基づいて取得された採点値を含む採点結果と、当該カラオケ歌唱を行った時間を示す歌唱時間情報と、当該カラオケ歌唱において使用したカラオケ装置の識別情報とを関連付けた歌唱採点データ、及びカラオケ装置の所在地を示す住所データを記憶するデータ記憶部と、
あるカラオケ歌唱を行った利用者の携帯端末から、前記カラオケ装置の表示部に表示された採点結果を撮影した画像を示す画像情報と、当該画像を撮影した場所を示す位置情報と、撮影した時間を示す撮影時間情報とを含む撮影データを受信した場合、当該画像情報に基づく画像を解析し、採点値を取得する画像解析部と、
取得した前記採点値、前記位置情報、前記撮影時間情報、及び前記住所データに基づいて、前記データ記憶部に記憶された複数の歌唱採点データの中から一の歌唱採点データを特定する特定部と、
特定した歌唱採点データに基づいて、前記あるカラオケ歌唱の採点結果を示す採点画像データを作成する画像作成部と、
前記撮影データを送信した携帯端末に対し、作成した採点画像データを送信するデータ送信部と、
を有するサーバ装置。
【請求項５】
前記画像作成部は、前記特定した歌唱採点データに含まれる採点値を示す第１の採点画像データと、前記特定した歌唱採点データに含まれる採点値以外の情報を示す第２の採点画像データとを作成することを特徴とする請求項３または４記載のサーバ装置。
【請求項６】
サーバ装置と通信可能であり、撮影部及び表示部を有する携帯端末を、
前記撮影部により撮影した、カラオケ装置の表示部に表示された採点結果の画像を解析し、採点値を取得する画像解析部、
取得した採点値と、前記画像を撮影した場所を示す位置情報と、撮影した時間を示す時間情報とを関連付けた撮影データを前記サーバ装置に送信するデータ送信部、
前記撮影データ及び前記カラオケ装置の所在地を示す住所データに基づいて、複数の歌唱採点データの中から一の歌唱採点データを特定し、特定した歌唱採点データに基づいて作成した、あるカラオケ歌唱の採点結果を示す採点画像データを、前記サーバ装置から受信した場合、当該採点画像データに基づく画像を表示部に表示させる表示制御部、
として機能させるためのプログラム。
【請求項７】
前記画像解析部は、前記採点値を取得できない場合、前記携帯端末を所有する利用者に対して再度の画像撮影を行うよう報知することを特徴とする請求項６記載のプログラム。
【発明の詳細な説明】
【技術分野】
【０００１】
本発明はカラオケシステム、サーバ装置、及び利用者の携帯端末で実行されるプログラムに関する。
【背景技術】
【０００２】
カラオケシステムは、カラオケ装置とサーバ装置とがネットワークを介して接続されている。各利用者は、カラオケシステムに対し、自己の個人情報を利用者識別情報（利用者ＩＤ）と対応付けて予め登録しておく。利用者があるカラオケ装置を利用する際に自己の利用者ＩＤを入力すること（ログイン操作）により、サーバ装置からカラオケ装置に当該利用者の個人情報をダウンロードできる。
【０００３】
個人情報は、たとえば利用者が過去にカラオケ歌唱を行った楽曲のリストや、利用者自身が十八番として登録した楽曲のリスト、あるいはカラオケ歌唱の際に採点機能を使って算出された楽曲毎の採点結果などである。利用者は、カラオケ装置でログイン操作を行うことで個人情報を利用することができる。
【０００４】
たとえば、特許文献１には、採点手段による複数の評価項目毎の評価値を、歌唱者の識別情報及びカラオケ楽曲の識別情報に対応付けして評価履歴データとして蓄積する評価履歴データ蓄積手段を有するカラオケシステムが開示されている。このようなカラオケシステムにログインした利用者は、評価履歴データを参照することにより、自己の採点記録を確認できる。
【先行技術文献】
【特許文献】
【０００５】
【特許文献１】特開２０１４−７１２４８号公報
【発明の概要】
【発明が解決しようとする課題】
【０００６】
しかし、特許文献１の技術によれば、カラオケシステムにログインしなければ採点記録を確認できないため、煩雑である。
【０００７】
また、採点機能を使用したカラオケ歌唱を終えた利用者の中には、カラオケ歌唱後にカラオケ装置に表示される採点結果の画面を、自己が所有する携帯端末（スマートフォン等）で撮影し、画像として保存する利用者が存在する。
【０００８】
しかし、利用者自身で撮影を行うため、撮影した画像が曲がってしまう場合や、撮影した画像にフラッシュの反射によるハレーションが生じる場合、或いは、撮影した画像にカラオケ装置周辺にいる人物や物体が映り込む場合等がある。つまり、カラオケ装置に表示された採点結果の画面をそのままの状態で撮影することが困難であった。
【０００９】
本発明の目的は、カラオケシステムにログインすることなく、カラオケ装置に表示される採点結果の画面と同等の画像を容易に取得するための技術を提供することにある。
【課題を解決するための手段】
【００１０】
上記目的を達成するための一の発明は、カラオケ装置及びサーバ装置を含むカラオケシステムであって、前記カラオケ装置は、利用者のカラオケ歌唱に基づいて、採点値を含む採点結果を取得する採点部と、前記採点結果に対し、少なくとも前記カラオケ歌唱を行った時間を示す歌唱時間情報、及び前記カラオケ歌唱において使用したカラオケ装置の識別情報を関連付けた歌唱採点データを前記サーバ装置に送信するデータ送信部と、前記採点結果を表示部に表示させる表示制御部と、を有し、前記サーバ装置は、複数の前記歌唱採点データ、及び前記カラオケ装置の所在地を示す住所データを記憶するデータ記憶部と、あるカラオケ歌唱を行った利用者の携帯端末から、前記カラオケ装置の表示部に表示された採点結果を撮影した画像を解析して取得された採点値と、当該画像を撮影した場所を示す位置情報と、撮影した時間を示す撮影時間情報とを含む撮影データを受信した場合、当該撮影データ及び前記住所データに基づいて、前記データ記憶部に記憶された複数の歌唱採点データの中から一の歌唱採点データを特定する特定部と、特定した歌唱採点データに基づいて、前記あるカラオケ歌唱の採点結果を示す採点画像データを作成する画像作成部と、前記撮影データを送信した携帯端末に対し、作成した採点画像データを送信するデータ送信部と、を有するカラオケシステムである。
本発明の他の特徴については、後述する明細書及び図面の記載により明らかにする。
【発明の効果】
【００１１】
本発明によれば、カラオケシステムにログインすることなく、カラオケ装置に表示される採点結果の画面と同等の画像を容易に取得できる。
【図面の簡単な説明】
【００１２】
【図１】第１実施形態に係るカラオケシステムの概略を示す図である。
【図２】第１実施形態に係るカラオケ装置のハードウェア構成例を示す図である。
【図３】第１実施形態に係るカラオケ装置のソフトウェア構成例を示す図である。
【図４】第１実施形態に係るカラオケ装置に表示される採点結果の画面を示す図である。
【図５】第１実施形態に係る携帯端末のハードウェア構成例を示す図である。
【図６】第１実施形態に係る携帯端末で撮影された画像を示す図である。
【図７】第１実施形態に係るサーバ装置のハードウェア構成例を示す図である。
【図８】第１実施形態に係る店舗データ記憶部に記憶されているデータの例を示す図である。
【図９】第１実施形態に係る歌唱採点データ記憶部に記憶されているデータの例を示す図である。
【図１０】第１実施形態に係るカラオケシステムの処理を示すフローチャートである。
【図１１】第２実施形態に係る携帯端末のハードウェア構成例を示す図である。
【図１２】第２実施形態に係るサーバ装置のハードウェア構成例を示す図である。
【図１３】第２実施形態に係るカラオケシステムの処理を示すフローチャートである。
【発明を実施するための形態】
【００１３】
＜第１実施形態＞
図１〜図１０を参照して、第１実施形態に係るカラオケシステムについて説明する。
【００１４】
＝＝システム＝＝
図１に示すように、本実施形態に係るカラオケシステム１は、複数のカラオケ装置（カラオケ装置Ｋ１〜カラオケ装置Ｋｎ）、及びサーバ装置Ｓを備える。各カラオケ装置とサーバ装置Ｓとは、ネットワークＮを介して通信可能となっている。ネットワークＮは、たとえば公衆電話回線網やインターネット回線等の伝送路である。また、サーバ装置Ｓは、カラオケ装置の利用者が所有する携帯端末Ｍと通信可能となっている。
【００１５】
＝＝カラオケ装置＝＝
［ハードウェア構成］
カラオケ装置は、楽曲のカラオケ演奏、及び利用者がカラオケ歌唱を行うための装置である。以下では、カラオケ装置Ｋ１について説明を行うが、他のカラオケ装置も同様の構成を備える。なお、利用者は、カラオケシステムに対するログイン操作（自己の利用者ＩＤやパスワードの入力）を行わなくとも、カラオケ装置を利用して楽曲の予約やカラオケ歌唱を楽しむことができる。
【００１６】
図２に示すように、カラオケ装置Ｋ１は、カラオケ本体１０、スピーカ２０、表示装置３０、マイク４０、及びリモコン装置５０を備える。
【００１７】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声（マイク４０への入力音声）をアナログの音声信号に変換してカラオケ本体１０に入力するための構成である。リモコン装置５０は、カラオケ本体１０に対する各種操作をおこなうための装置である。利用者はリモコン装置５０を用いてカラオケ歌唱を希望する楽曲の検索や選曲（予約）等を行うことができる。リモコン装置５０の表示画面には各種操作の指示入力を行うためのアイコン等が表示される。
【００１８】
カラオケ本体１０は、選曲された楽曲のカラオケ演奏制御、歌詞や背景映像等の表示制御、マイク４０を通じて入力された音声信号の処理といった、カラオケ歌唱に関する各種の制御を行う。図２に示すように、カラオケ本体１０は、制御部１１、通信部１２、記憶部１３、音響処理部１４、表示処理部１５、及び操作部１６を備える。各構成はインターフェース（図示なし）を介してバスＢに接続されている。
【００１９】
制御部１１は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００２０】
通信部１２は、ルーター（図示なし）を介してカラオケ本体１０を通信回線に接続するためのインターフェースを提供する。
【００２１】
記憶部１３は、各種のデータを記憶する大容量の記憶装置であり、たとえばハードディスクドライブなどである。本実施形態において、記憶部１３は、カラオケ装置Ｋ１においてカラオケ演奏を行うための複数の楽曲（楽曲データ）を記憶する。楽曲データは、個々の楽曲を特定するための楽曲ＩＤ（識別情報）が付与されている。楽曲データは、伴奏データ、リファレンスデータ、ガイドメロディデータ、歌詞テロップデータ、背景画像データ、及び楽曲の属性情報（楽曲名、歌手名、作詞・作曲者名、ジャンル等の楽曲に関する情報）を含む。楽曲データは、サーバ装置Ｓからカラオケ装置Ｋ１に対して配信される。但し、楽曲データを記憶部１３に記憶せず、必要に応じてサーバ装置Ｓからダウンロードすることでもよい。
【００２２】
また、記憶部１３は、カラオケ装置Ｋ１の識別情報を有する。カラオケ装置の識別情報は、複数のカラオケ装置を識別するための情報である。具体的には、専用のＩＤ（装置ＩＤ）や番号等、それぞれのカラオケ装置固有の情報である。
【００２３】
音響処理部１４は、制御部１１の制御に基づき、楽曲に対するカラオケ演奏の制御およびマイク４０を通じて入力された歌唱音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２４】
表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる。或いは、表示処理部１５は、リモコン装置５０の表示画面に操作入力用の各種アイコンを表示させる。
【００２５】
操作部１６は、パネルスイッチおよびリモコン受信回路などからなり、利用者によるカラオケ装置Ｋ１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２６】
［ソフトウェア構成］
図３はカラオケ本体１０のソフトウェア構成例を示す図である。カラオケ本体１０は、演奏制御部１００、採点部２００、データ送信部３００、及び表示制御部４００を備える。演奏制御部１００、採点部２００、データ送信部３００、及び表示制御部４００は、ＣＰＵがメモリに記憶されるプログラムを実行することにより実現される。
【００２７】
（演奏制御部）
演奏制御部１００は、カラオケ装置Ｋ１におけるカラオケ演奏に関する各種制御を行う。演奏制御部１００は、利用者が予約した楽曲の楽曲データを記憶部１３から読み出し、音響処理部１４を制御してカラオケ演奏を行なう。また、演奏制御部１００は、カラオケ演奏に関する時間情報を管理する。具体的に、時間情報はある楽曲のカラオケ演奏を開始または終了した時刻（時分秒）である。時間情報は、カラオケ演奏を行った日付（年月日）を含んでいてもよい。
【００２８】
（採点部）
採点部２００は、利用者のカラオケ歌唱に基づいて、採点値を含む採点結果を取得する。採点部２００は、取得した採点結果をデータ送信部３００及び表示制御部４００に出力する。
【００２９】
採点結果は、カラオケ歌唱を様々な点から評価した結果である。採点結果は、少なくとも採点値を含む。
【００３０】
カラオケ歌唱に基づく採点値の取得は、公知の手法を用いることができる。たとえば、採点部２００は、マイク４０から入力された歌唱音声信号から、ピッチ（音高）データ、音量データ等の歌唱音声データを抽出し、楽曲のリファレンスデータと比較することにより、採点値を得る。採点値は、具体的な数値（採点値）であってもよいし、いくつかの区分に分類されたランク（たとえばＡ〜Ｅの５段階評価）であってもよい。
【００３１】
採点結果は、音程の正確性、安定性、歌唱技法等の歌唱表現力の評価を含んでいてもよい。
【００３２】
たとえば、採点部２００は、歌唱音声信号から歌唱音声のタイミング（リズム）、音高、音量などのパターンを検出することで歌唱表現力の評価を行うことができる。具体例として、ビブラート歌唱の検出評価については、特開２００５−１０７０８７号公報の技術を利用できる。しゃくり歌唱の検出評価については、特開２００５−１０７３３６号公報の技術を利用できる。フォール歌唱の検出評価については、特開２００８−２２５１１５号公報の技術を利用できる。
【００３３】
（データ送信部）
データ送信部３００は、採点結果に対し、少なくともカラオケ歌唱を行った時間を示す歌唱時間情報、及びカラオケ歌唱において使用したカラオケ装置の識別情報を関連付けた歌唱採点データをサーバ装置Ｓに送信する。歌唱採点データは、カラオケ歌唱を行った利用者の識別情報やカラオケ歌唱を行った楽曲の識別情報を含んでいてもよい。
【００３４】
利用者の識別情報は、ログイン操作を行った利用者がカラオケ歌唱を行った場合には、サーバ装置Ｓから取得した識別情報を用い、また、ログイン操作を行っていない利用者がカラオケ歌唱を行った場合には、予め定められたゲスト用の識別情報（例えば「０００００００」）を用いる。楽曲の識別情報（楽曲ＩＤ）及びカラオケ装置の識別情報（装置ＩＤ）は、記憶部１３に記憶されている。カラオケ歌唱を行った時間を示す歌唱時間情報は、あるカラオケ歌唱が行われたときを特定するための情報である。具体的に、歌唱時間情報はある楽曲のカラオケ歌唱を開始または終了した時刻（時分秒）である。歌唱時間情報は、カラオケ歌唱を行った日付（年月日）を含んでいてもよい。なお、カラオケ歌唱を開始（または終了）したときと、カラオケ演奏を開始（または終了）したときは、ほぼ同時となる。従って、データ送信部３００は、演奏制御部１００により管理されるカラオケ演奏に関する時間情報を、歌唱時間情報として用いることができる。一方、カラオケ装置Ｋ１は、利用者の歌唱音声がマイク４０に入力された時間（入力されなくなって所定時間が経過した時間）を検出することもできる。この場合、データ送信部３００は、当該時間を歌唱時間情報として用いることも可能である。
【００３５】
たとえば、カラオケシステムにログインしていない利用者Ｘが楽曲Ａのカラオケ歌唱を行ったとする。カラオケ歌唱が終了した後、採点部２００は、カラオケ歌唱に基づいて採点結果を取得する。データ送信部３００は、記憶部１３から楽曲Ａの楽曲ＩＤ及びカラオケ装置Ｋ１の装置ＩＤを読み出す。また、データ送信部３００は、演奏制御部１００から楽曲Ａのカラオケ演奏に関する時間情報を取得する。データ送信部３００は、採点結果に対し、予め定められたゲスト用の利用者ＩＤ、楽曲Ａの楽曲ＩＤ、楽曲Ａのカラオケ歌唱を行った時間を示す歌唱時間情報、及びカラオケ装置Ｋ１の装置ＩＤを関連付けた歌唱採点データを作成し、サーバ装置Ｓに送信する。
【００３６】
（表示制御部）
表示制御部４００は、カラオケ装置Ｋ１における各種表示制御を行う。本実施形態において、表示制御部４００は、採点結果を表示部に表示させる。本実施形態に係る表示装置３０及びリモコン装置５０は、「表示部」の一例である。
【００３７】
たとえば、表示制御部４００は、採点部２００が取得した、利用者Ｘによる楽曲Ａのカラオケ歌唱に基づく採点結果を所定のレイアウトで表示装置３０に表示させる。所定のレイアウトは、記憶部１３に記憶されている。
【００３８】
図４は表示装置３０に表示された採点結果の画面の一例である。この例では、採点値「９５．４９０点」の他、楽曲名、歌手名、カラオケ歌唱を行った日付、及びカラオケ歌唱に関する各種評価が表示されている。なお、利用者がカラオケシステムにログインしていない場合、ゲスト用の利用者ＩＤを参照するため、利用者名は「ゲスト」と表示される。カラオケ歌唱を終えた利用者は、表示された採点結果の画面を確認することで自己のカラオケ歌唱の評価等を把握できる。
【００３９】
＝＝携帯端末＝＝
携帯端末Ｍは、利用者が所有する一般的なスマートフォン、タブレット端末等である。
【００４０】
［ハードウェア構成］
図５は携帯端末Ｍのハードウェア構成例を示す図である。携帯端末Ｍは、記憶部６０、通信部６１、操作部６２、表示部６３、撮影部６４、及び制御部６５を備える。
【００４１】
記憶部６０は、携帯端末Ｍに関する各種情報を記憶する。本実施形態において、記憶部６０は、携帯端末Ｍを識別するための端末識別情報、及びカラオケ用アプリを記憶している。
【００４２】
カラオケ用アプリは、カラオケシステム１にログインすることなく、撮影した静止画に関わる処理や、サーバ装置Ｓとのデータの送受信を可能とするためのプログラムを実行するソフトウェアである。カラオケ用アプリを実行することにより、携帯端末Ｍは、サーバ装置Ｓと通信可能となる。なお、カラオケ用アプリは、カラオケシステム１にログインしてペアリングを行うことにより、その他の機能を備えていてもよい。たとえば、カラオケ用アプリは、携帯端末Ｍがリモコン装置５０と同様の各種操作を行うことを可能とするようなソフトウェアであってもよい。
【００４３】
通信部６１は、携帯端末Ｍとカラオケシステム１とを接続するためのインターフェースを提供する。操作部６２は、利用者が各種の操作入力を行うためのボタンやＧＵＩである。表示部６３は、各種の情報を表示させる表示画面を提供する。
【００４４】
撮影部６４は、携帯端末Ｍの本体部分に設けられたカメラである。カラオケ用アプリの実行中に撮影部６４で撮影された画像（画像データ）は、撮影された時間を示す撮影時間情報、及び撮影した場所を示す位置情報と関連付けられ、記憶部６０に記憶される。撮影時間情報は、ある対象の撮影が行われたときを特定するための情報である。具体的に、撮影時間情報はある対象を撮影した時刻（時分秒）である。撮影時間情報は、撮影を行った日付（年月日）を含んでいてもよい。位置情報は、携帯端末Ｍが備えるＧＰＳ機能を利用して取得できる。
【００４５】
制御部６５は、携帯端末Ｍの各種処理を制御する。制御部６５はＣＰＵおよびメモリ（いずれも図示なし）を備える。本実施形態において、カラオケ用アプリのプログラムを実行することにより、制御部６５は、画像解析部６５ａ、データ送信部６５ｂ、及び表示制御部６５ｃとして機能する。
【００４６】
（画像解析部）
画像解析部６５ａは、撮影部６４により撮影した、カラオケ装置の表示部に表示された採点結果の画像を解析し、採点値を取得する。
【００４７】
たとえば、カラオケ装置Ｋ１の表示装置３０に、カラオケシステムにログインしていない利用者Ｘによる楽曲Ａのカラオケ歌唱に基づく採点結果の画面が表示されているとする（図４参照）。
【００４８】
採点結果を画像として自己の携帯端末Ｍに保存したいと考えた場合、利用者Ｘは、カラオケ用アプリのメニュー画面で「採点結果の撮影」を選択した後、撮影部６４により当該採点結果の画面を撮影する。ここで、利用者Ｘ自身で撮影した場合、表示装置３０に対して撮影部６４の向きや角度がずれていたり、カラオケ装置Ｋ１の設置されている環境によっては、図６に示すような画像が撮影される。図６は、画像自体が傾いており、且つ一部にハレーションが生じている例を示している。このような画像は利用者Ｘが望むものではなく、できるだけカラオケ装置Ｋ１の表示装置３０に表示された採点結果の画面に近いものであることが望ましい。
【００４９】
画像解析部６５ａは、図６のような利用者が撮影した画像を解析し、採点値を取得する。画像解析は公知の手法を用いることができる。たとえば、画像解析部６５ａは、光学的文字認識（ＯＣＲ）を利用し、画像中に含まれる数値を抽出する。そして、画像解析部６５ａは、抽出した数値のうち、所定条件に当てはまるもの（たとえば、フォントサイズが最大のもの）を採点値として取得する。画像解析部６５ａは、取得した採点値を所定の文字コードに変換し、画像に関連付けられた撮影時間情報及び位置情報と併せてデータ送信部６５ｂに出力する。
【００５０】
なお、画像解析部６５ａは、画像解析の結果、採点値を取得できない場合（たとえば、採点値が表示される領域にハレーションが生じている場合）、携帯端末Ｍを所有する利用者に対して再度の画像撮影を行うよう報知する。報知は、たとえば、表示部６３に「採点値が認識できませんでした。再度の撮影を行ってください。」といったメッセージを表示させることでもよいし、携帯端末Ｍのスピーカ（図示なし）から警告音を発することでもよい。
【００５１】
（データ送信部）
データ送信部６５ｂは、取得した採点値と、画像を撮影した場所を示す位置情報と、撮影した時間を示す撮影時間情報とを関連付けた撮影データをサーバ装置Ｓに送信する。
【００５２】
（表示制御部）
表示制御部６５ｃは携帯端末Ｍにおける各種表示制御を行う。本実施形態において、表示制御部６５ｃは、サーバ装置Ｓから、あるカラオケ歌唱の採点結果を示す採点画像データを受信した場合、当該採点画像データに基づく画像を表示部６３に表示させる。また、表示制御部６５ｃは、受信した採点画像データを記憶部６０に記憶させる。採点画像データの詳細については後述する。
【００５３】
＝＝サーバ装置＝＝
［ハードウェア構成］
サーバ装置Ｓは、カラオケ装置に関する各種情報を管理したり、カラオケ装置や携帯端末から送信される情報の処理を行うコンピュータである。図７はサーバ装置Ｓのハードウェア構成例を示す図である。サーバ装置Ｓは、記憶部７０、通信部８０、及び制御部９０を備える。
【００５４】
記憶部７０は、各種のデータを記憶する大容量の記憶装置である。通信部８０は、サーバ装置Ｓと各カラオケ装置または携帯端末Ｍとを接続するためのインターフェースを提供する。制御部９０は、サーバ装置Ｓにおける各種の制御を行う。制御部９０は、ＣＰＵおよびメモリ（いずれも図示なし）を備える。ＣＰＵは、メモリに記憶されたプログラムを実行することにより各種の機能を実現する。
【００５５】
本実施形態において、ＣＰＵがメモリに記憶されるプログラムを実行することにより、記憶部７０の記憶領域の一部は、店舗データ記憶部７０ａ及び歌唱採点データ記憶部７０ｂとして提供される。店舗データ記憶部７０ａ及び歌唱採点データ記憶部７０ｂは、「データ記憶部」の一例である。また、制御部９０は、特定部９０ａ、画像作成部９０ｂ、及びデータ送信部９０ｃとして機能する。
【００５６】
（店舗データ記憶部）
店舗データ記憶部７０ａは、カラオケ装置が設置される店舗、及び当該店舗に設置されているカラオケ装置に関するデータを記憶している。図８は、店舗データ記憶部７０ａに記憶されているデータの例を示している。この例において、店舗データ記憶部７０ａは、店舗名、店舗毎の所在地を示す住所データ、店舗毎の識別情報（店舗ＩＤ）、店舗毎に設置されているカラオケ装置の識別情報（装置ＩＤ）を記憶している。
【００５７】
（歌唱採点データ記憶部）
歌唱採点データ記憶部７０ｂは、各カラオケ装置から受信した複数の歌唱採点データを時系列に記憶している。図９は、歌唱採点データ記憶部７０ｂに記憶されているデータの例を示している。この例において、歌唱採点データ記憶部７０ｂは、カラオケ歌唱を行った利用者の利用者ＩＤ（ゲスト用の利用者ＩＤを含む）、カラオケ歌唱を行った楽曲の楽曲ＩＤ、歌唱時間情報、採点結果（採点値、歌唱表現力の評価）を記憶している。
【００５８】
（特定部）
特定部９０ａは、あるカラオケ歌唱を行った利用者の携帯端末から、カラオケ装置の表示部に表示された採点結果を撮影した画像を解析して取得された採点値と、当該画像を撮影した場所を示す位置情報と、撮影した時間を示す撮影時間情報とを含む撮影データを受信した場合、当該撮影データ及び住所データに基づいて、データ記憶部（歌唱採点データ記憶部７０ｂ）に記憶された複数の歌唱採点データの中から一の歌唱採点データを特定する。
【００５９】
たとえば、楽曲Ａのカラオケ歌唱を行った利用者Ｘの携帯端末Ｍから撮影データを受信したとする。この場合、特定部９０ａは、まず、撮影データに含まれる位置情報を元に、撮影データが撮影されたカラオケ店舗を特定する。具体的に、特定部９０ａは、受信した位置情報を元に店舗データ記憶部７０ａに記憶されている住所データを検索することで、当該位置情報と一致する住所データを特定する。次に、特定部９０ａは、特定した住所データに関連付けられている店舗ＩＤ及び装置ＩＤに基づいて、特定した住所データが示す店舗に設置されているカラオケ装置を抽出する。
【００６０】
更に、特定部９０ａは、抽出したカラオケ装置の装置ＩＤに基づいて、歌唱採点データ記憶部７０ｂに記憶されている歌唱採点データのうち、装置ＩＤが一致する歌唱採点データを抽出する。
【００６１】
そして、特定部９０ａは、撮影データに含まれる採点値及び撮影時間情報に基づいて、抽出した歌唱採点データの中から一の歌唱採点データを特定する。具体的に、特定部９０ａは、撮影データに含まれる採点値と同じ採点値を有し、且つ撮影時間情報と歌唱時間情報とが最も近いデータを、一の歌唱採点データとして特定する。
【００６２】
なお、一の歌唱採点データを特定することができれば、特定する順番は上記例に限られない。
【００６３】
（画像作成部）
画像作成部９０ｂは、特定した歌唱採点データに基づいて、あるカラオケ歌唱の採点結果を示す採点画像データを作成する。
【００６４】
たとえば、画像作成部９０ｂは、特定した歌唱採点データに含まれる採点結果がカラオケ装置において表示されたレイアウトと同じレイアウトとなるよう、採点結果に含まれる各種情報を配置し、採点画像データを作成する。
【００６５】
なお、採点結果に含まれる情報が多数ある場合、画像作成部９０ｂは、採点画像データとして複数の画像データを作成してもよい。たとえば、画像作成部９０ｂは、特定した歌唱採点データに含まれる採点値を示す第１の採点画像データと、特定した歌唱採点データに含まれる採点値以外の情報を示す第２の採点画像データとを作成してもよい。
【００６６】
（データ送信部）
データ送信部９０ｃは、撮影データを送信した携帯端末に対し、作成した採点画像データを送信する。
【００６７】
データの送信方法は特に限定されない。たとえば、データ送信部９０ｃは、デバイストークンに基づくプッシュ通知により採点画像データを特定の携帯端末に対して送信できる。
【００６８】
たとえば、楽曲Ａのカラオケ歌唱を行った利用者Ｘの携帯端末Ｍから送信された撮影データを参照して、一の歌唱採点データを特定した場合、データ送信部９０ｃは、作成した採点画像データを利用者Ｘの携帯端末Ｍに送信する。携帯端末Ｍの表示制御部６５ｃは、受信した採点画像データに基づく画像を表示部６３に表示させる。ここで表示される画像は、図４に示したような、カラオケ装置で実際に表示される採点結果の画面と同等の画像である。
【００６９】
＝＝カラオケシステムにおける処理について＝＝
次に、図１０を参照して本実施形態に係るカラオケシステム１における処理の具体例について述べる。図１０は、カラオケシステム１における処理例を示すフローチャートである。この例では、利用者Ｘがカラオケ装置Ｋ１で楽曲Ａのカラオケ歌唱を行ったとする。また、利用者Ｘが所有する携帯端末Ｍにおいて、上述のカラオケ用アプリが実行されているとする。
【００７０】
カラオケ装置Ｋ１の採点部２００は、利用者Ｘのカラオケ歌唱に基づいて、採点値を含む採点結果を取得する（採点結果の取得。ステップ１０）。
【００７１】
カラオケ装置Ｋ１のデータ送信部３００は、ステップ１０で取得した採点結果に対し、カラオケ歌唱を行った時間を示す歌唱時間情報、及びカラオケ装置Ｋ１の装置ＩＤを関連付けた歌唱採点データをサーバ装置Ｓに送信する（歌唱採点データの送信。ステップ１１）。サーバ装置Ｓは、受信した歌唱採点データを歌唱採点データ記憶部７０ｂに記憶させる（歌唱採点データの記憶。ステップ１２）。
【００７２】
一方、カラオケ装置Ｋ１の表示制御部４００は、ステップ１０で取得した採点結果を表示装置３０に表示させる（採点結果の表示。ステップ１３）。
【００７３】
ここで、利用者Ｘは、携帯端末Ｍ（撮影部６４）により、ステップ１３で表示された採点結果の画面を撮影したとする（採点結果の撮影。ステップ１４）。
【００７４】
画像解析部６５ａは、ステップ１４で得られた採点結果の画像を解析し、採点値を取得する（採点値の取得。ステップ１５）。
【００７５】
携帯端末Ｍのデータ送信部６５ｂは、ステップ１５で取得した採点値と、画像を撮影した場所を示す位置情報と、撮影した時間を示す撮影時間情報とを関連付けた撮影データをサーバ装置Ｓに送信する（撮影データの送信。ステップ１６）。
【００７６】
特定部９０ａは、携帯端末Ｍから撮影データを受信した場合、当該撮影データ及び店舗データ記憶部７０ａに記憶された住所データに基づいて、歌唱採点データ記憶部７０ｂに記憶された複数の歌唱採点データの中から一の歌唱採点データを特定する（歌唱採点データの特定。ステップ１７）。
【００７７】
画像作成部９０ｂは、ステップ１７で特定した歌唱採点データに基づいて、利用者Ｘによる楽曲Ａのカラオケ歌唱の採点結果を示す採点画像データを作成する（採点画像データの作成。ステップ１８）。
【００７８】
サーバ装置Ｓのデータ送信部９０ｃは、ステップ１６で撮影データを送信した携帯端末Ｍに対し、ステップ１８で作成した採点画像データを送信する（採点画像データの送信。ステップ１９）。
【００７９】
携帯端末Ｍの表示制御部６５ｃは、ステップ１９でサーバ装置Ｓから送信された採点画像データに基づく画像を表示部６３に表示させる（採点画像を表示。ステップ２０）。
【００８０】
このように、本実施形態に係るカラオケシステム１は、カラオケ装置及びサーバ装置Ｓを含む。カラオケ装置は、利用者のカラオケ歌唱に基づいて、採点値を含む採点結果を取得する採点部２００と、採点結果に対し、少なくともカラオケ歌唱を行った時間を示す歌唱時間情報、及びカラオケ歌唱において使用したカラオケ装置の識別情報を関連付けた歌唱採点データをサーバ装置Ｓに送信するデータ送信部３００と、採点結果を表示装置３０等に表示させる表示制御部４００と、を有する。サーバ装置Ｓは、複数の歌唱採点データ、及びカラオケ装置の所在地を示す住所データを記憶するデータ記憶部と、あるカラオケ歌唱を行った利用者の携帯端末から、カラオケ装置の表示部に表示された採点結果を撮影した画像を解析して取得された採点値と、当該画像を撮影した場所を示す位置情報と、撮影した時間を示す撮影時間情報とを含む撮影データを受信した場合、当該撮影データ及び住所データに基づいて、データ記憶部に記憶された複数の歌唱採点データの中から一の歌唱採点データを特定する特定部９０ａと、特定した歌唱採点データに基づいて、あるカラオケ歌唱の採点結果を示す採点画像データを作成する画像作成部９０ｂと、撮影データを送信した携帯端末に対し、作成した採点画像データを送信するデータ送信部９０ｃと、を有する。
【００８１】
このようなカラオケシステム１またはサーバ装置Ｓによれば、利用者がログイン操作のような煩雑な操作を行わなくとも、当該利用者の行ったカラオケ歌唱の採点結果を示す画像を容易に取得できる。この際に取得できる画像は、サーバ装置Ｓが作成した採点画像データに基づいているため、携帯端末で撮影して得られる画像のように、曲がっていたり、ハレーションが生じるといったことがない。すなわち、本実施形態に係るカラオケシステム１またはサーバ装置Ｓによれば、カラオケシステム１にログインすることなく、カラオケ装置に表示される採点結果の画面と同等の画像を取得することができる。
【００８２】
また、画像作成部９０ｂは、特定した歌唱採点データに含まれる採点値を示す第１の採点画像データと、特定した歌唱採点データに含まれる採点値以外の情報を示す第２の採点画像データとを作成することができる。このように複数の採点画像データを作成することにより、利用者は、様々な採点結果について、カラオケ装置に表示される採点結果の画面と同等の画像を取得できる。
【００８３】
一方、本実施形態に係るカラオケ用アプリが実行するプログラムは、携帯端末Ｍを、撮影部６４により撮影した、カラオケ装置の表示部に表示された採点結果の画像を解析し、採点値を取得する画像解析部６５ａ、取得した採点値と、画像を撮影した場所を示す位置情報と、撮影した時間を示す撮影時間情報とを関連付けた撮影データをサーバ装置Ｓに送信するデータ送信部６５ｂ、撮影データ及びカラオケ装置の所在地を示す住所データに基づいて、複数の歌唱採点データの中から一の歌唱採点データを特定し、特定した歌唱採点データに基づいて作成した、あるカラオケ歌唱の採点結果を示す採点画像データを、サーバ装置Ｓから受信した場合、当該採点画像データに基づく画像を表示部６３に表示させる表示制御部６５ｃ、として機能させる。
【００８４】
このようなプログラムによれば、採点画像データを作成するために必要なデータをサーバ装置Ｓに提供することができる。また、利用者は、サーバ装置Ｓで作成された採点画像データに基づく画像（カラオケ装置に表示される採点結果の画面と同等の画像）を自己の携帯端末で確認できる。
【００８５】
また、上記プログラムは、採点値を取得できない場合、画像解析部６５ａが、携帯端末Ｍを所有する利用者に対して再度の画像撮影を行うよう報知するよう携帯端末Ｍを機能させることができる。このようなプログラムによれば、撮影データに必要な採点値（すなわち、採点画像データの作成に必要なデータ）を確実に取得できる。
【００８６】
＜第２実施形態＞
次に、図１１〜図１３を参照して、第２実施形態に係るカラオケシステム１について説明する。第１実施形態と同様の構成については詳細な説明を省略する。
【００８７】
第１実施形態では、利用者の携帯端末Ｍで撮影した画像を、携帯端末Ｍ側（画像解析部６５ａ）で解析し、採点値を取得する例について述べた。一方、本実施形態では、利用者の携帯端末Ｍで撮影した画像を、サーバ装置Ｓ側で解析し、採点値を取得する例について述べる。
【００８８】
＝＝携帯端末＝＝
図１１は本実施形態に係る携帯端末Ｍのハードウェア構成例を示す図である。本実施形態において、カラオケ用アプリのプログラムを実行することにより、制御部６５は、データ送信部６５ｂ、及び表示制御部６５ｃとして機能する。
【００８９】
データ送信部６５ｂは、カラオケ装置Ｋの表示部に表示された採点結果を撮影した画像を示す画像情報と、画像を撮影した場所を示す位置情報と、撮影した時間を示す撮影時間情報とを関連付けた撮影データをサーバ装置Ｓに送信する。すなわち、本実施形態においては第１実施形態と異なり、データ送信部６５ｂは、携帯端末Ｍで撮影した画像をそのまま（画像データとして）サーバ装置Ｓに送信する。表示制御部６５ｃは、第１実施形態と同様である。
【００９０】
＝＝サーバ装置＝＝
［ハードウェア構成］
図１２はサーバ装置Ｓのハードウェア構成例を示す図である。本実施形態において、ＣＰＵがメモリに記憶されるプログラムを実行することにより、記憶部７０の記憶領域の一部は、店舗データ記憶部７０ａ及び歌唱採点データ記憶部７０ｂとして提供される。店舗データ記憶部７０ａ及び歌唱採点データ記憶部７０ｂは、「データ記憶部」の一例である。また、制御部９０は、特定部９０ａ、画像作成部９０ｂ、データ送信部９０ｃ、及び画像解析部９０ｄとして機能する。
【００９１】
（画像解析部）
画像解析部９０ｄは、あるカラオケ歌唱を行った利用者の携帯端末から、カラオケ装置の表示部に表示された採点結果を撮影した画像を示す画像情報と、当該画像を撮影した場所を示す位置情報と、撮影した時間を示す撮影時間情報とを含む撮影データを受信した場合、当該画像情報に基づく画像を解析し、採点値を取得する。画像の解析方法については、第１実施形態で説明した携帯端末Ｍの画像解析部６５ａと同様の手法を用いることができる。
【００９２】
（特定部）
特定部９０ａは、取得した採点値、位置情報、撮影時間情報、及び住所データに基づいて、データ記憶部（歌唱採点データ記憶部７０ｂ）に記憶された複数の歌唱採点データの中から一の歌唱採点データを特定する。歌唱採点データの特定については、第１実施形態と同様である。
【００９３】
＝＝カラオケシステムにおける処理について＝＝
次に、図１３を参照して本実施形態に係るカラオケシステム１における処理の具体例について述べる。図１３は、カラオケシステム１における処理例を示すフローチャートである。この例では、利用者Ｘがカラオケ装置Ｋ１で楽曲Ａのカラオケ歌唱を行ったとする。また、利用者Ｘが所有する携帯端末Ｍにおいて、上述のカラオケ用アプリが実行されているとする。
【００９４】
ステップ２０〜２４、２８〜３０は、ステップ１０〜１４、１８〜２０と同様の処理のため、詳細な説明を省略する。
【００９５】
携帯端末Ｍのデータ送信部６５ｂは、ステップ２４で撮影した画像を示す画像情報と、画像を撮影した場所を示す位置情報と、撮影した時間を示す撮影時間情報とを関連付けた撮影データをサーバ装置Ｓに送信する（撮影データの送信。ステップ２５）。
【００９６】
サーバ装置Ｓの画像解析部９０ｄは、ステップ２５で送信された撮影データに含まれる画像情報に基づく画像を解析し、採点値を取得する（採点値の取得。ステップ２６）。
【００９７】
特定部９０ａは、ステップ２６で取得した採点値と、ステップ２５で送信された撮影データに含まれる位置情報及び撮影時間情報と、店舗データ記憶部７０ａに記憶されている住所データに基づいて、歌唱採点データ記憶部７０ｂに記憶された複数の歌唱採点データの中から一の歌唱採点データを特定する（歌唱採点データの特定。ステップ２７）。
【００９８】
このように、本実施形態に係るカラオケシステム１は、カラオケ装置及びサーバ装置Ｓを含む。カラオケ装置は、利用者のカラオケ歌唱に基づいて、採点値を含む採点結果を取得する採点部２００と、採点結果に対し、少なくともカラオケ歌唱を行った時間を示す歌唱時間情報、及びカラオケ歌唱において使用したカラオケ装置の識別情報を関連付けた歌唱採点データをサーバ装置Ｓに送信するデータ送信部３００と、採点結果を表示装置３０等に表示させる表示制御部４００と、を有する。サーバ装置Ｓは、複数の歌唱採点データ、及びカラオケ装置の所在地を示す住所データを記憶するデータ記憶部と、あるカラオケ歌唱を行った利用者の携帯端末から、カラオケ装置の表示部に表示された採点結果を撮影した画像を示す画像情報と、当該画像を撮影した場所を示す位置情報と、撮影した時間を示す撮影時間情報とを含む撮影データを受信した場合、当該画像情報に基づく画像を解析し、採点値を取得する画像解析部９０ｄと、取得した採点値、位置情報、撮影時間情報、及び住所データに基づいて、データ記憶部に記憶された複数の歌唱採点データの中から一の歌唱採点データを特定する特定部９０ａと、特定した歌唱採点データに基づいて、あるカラオケ歌唱の採点結果を示す採点画像データを作成する画像作成部９０ｂと、撮影データを送信した携帯端末に対し、作成した採点画像データを送信するデータ送信部９０ｃと、を有する。
【００９９】
このようなカラオケシステム１またはサーバ装置Ｓによれば、第１実施形態と同様、利用者がログイン操作のような煩雑な操作を行わなくとも、当該利用者の行ったカラオケ歌唱の採点結果を示す画像を容易に取得できる。この際に取得できる画像は、サーバ装置Ｓが作成した採点画像データに基づいているため、携帯端末で撮影して得られる画像のように、曲がっていたり、ハレーションが生じるといったことがない。すなわち、本実施形態に係るカラオケシステム１またはサーバ装置Ｓによれば、カラオケシステム１にログインすることなく、カラオケ装置に表示される採点結果の画面と同等の画像を取得することができる。更に、採点値の取得をサーバ装置Ｓ側で行うため、携帯端末Ｍ側で実行されるプログラムを簡素化できる。
【０１００】
＜その他＞
第１実施形態で述べたように、表示制御部６５ｃは、サーバ装置Ｓから受信した採点画像データを記憶部６０に記憶させる。この際、表示制御部６５ｃは、記憶部６０に記憶されている画像データのうち、受信した採点画像データに対応する画像データに対して上書きして記憶させることでもよい。受信した採点画像データに対応する画像データは、画像解析部６５ａで解析された画像データ（撮影部６４で撮影された画像データ）である。このような画像データに基づく画像は、利用者自身が撮影した画像であるため、曲がっていたり、ハレーションが生じている場合がある。そこで、このような画像の画像データを採点画像データで上書きすることで、不要な画像データを消去できる。従って、携帯端末Ｍの記憶部６０の記憶容量を有効利用できる。
【０１０１】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１０２】
１  カラオケシステム
２００  採点部
３００  データ送信部（カラオケ装置）
４００  表示制御部（カラオケ装置）
６５ａ  画像解析部（携帯端末）
６５ｂ  データ送信部（携帯端末）
６５ｃ  表示制御部（携帯端末）
７０ａ  店舗データ記憶部
７０ｂ  歌唱採点データ記憶部
９０ａ  特定部
９０ｂ  画像作成部
９０ｃ  データ送信部（サーバ装置）
９０ｄ  画像解析部（サーバ装置）
Ｋ１〜Ｋｎ  カラオケ装置
Ｍ  携帯端末
Ｓ  サーバ装置
【図１】
2019148768.tif 000003
【図２】
2019148768.tif 000004
【図３】
2019148768.tif 000005
【図４】
2019148768.tif 000006
【図５】
2019148768.tif 000007
【図６】
2019148768.tif 000008
【図７】
2019148768.tif 000009
【図８】
2019148768.tif 000010
【図９】
2019148768.tif 000011
【図１０】
2019148768.tif 000012
【図１１】
2019148768.tif 000013
【図１２】
2019148768.tif 000014
【図１３】
2019148768.tif 000015